(57)【特許請求の範囲】
【請求項１】
基材と粘着剤層とを備え、一方の面から他方の面に貫通する貫通孔が複数形成されており、被着体貼付後に最高Ｔmax（ただし、８０℃≦Ｔmax≦１２０℃であるものとする。）の温度に曝される粘着シートであって、
前記貫通孔の前記基材および粘着剤層における孔径は０.１〜３００μｍであり、孔密度は３０〜５０,０００個／１００ｃｍ２であり、前記貫通孔の前記粘着シートの表面における孔径は４０μｍ以下であり、前記貫通孔の孔径は、前記粘着シートの粘着面から前記粘着シートの表面にかけて漸次小さくなっており、
前記粘着剤層のＴmaxにおける貯蔵弾性率（測定振動数：１Ｈｚ）は４．５×１０３Ｐａ以上であり、前記粘着剤層のＴmaxにおける損失正接（測定振動数：１Ｈｚ）は０．７８以下である
ことを特徴とする粘着シート。
【請求項２】
基材と粘着剤層とを備え、一方の面から他方の面に貫通する貫通孔が複数形成されており、被着体貼付後に８０〜１２０℃の温度に曝される粘着シートであって、
前記貫通孔の前記基材および粘着剤層における孔径は０.１〜３００μｍであり、孔密度は３０〜５０,０００個／１００ｃｍ２であり、前記貫通孔の前記粘着シートの表面における孔径は４０μｍ以下であり、前記貫通孔の孔径は、前記粘着シートの粘着面から前記粘着シートの表面にかけて漸次小さくなっており、
前記粘着剤層の１２０℃における貯蔵弾性率（測定振動数：１Ｈｚ）は４．５×１０３Ｐａ以上であり、前記粘着剤層の１２０℃における損失正接（測定振動数：１Ｈｚ）は０．７８以下である
ことを特徴とする粘着シート。
【請求項３】
前記貫通孔は、レーザ加工により形成されてなることを特徴とする請求項１または２に記載の粘着シート。
【発明の詳細な説明】
【技術分野】
【０００１】
本発明は、空気溜まりやブリスターを防止または除去することのできる粘着シートに関するものである。
【背景技術】
【０００２】
粘着シートを手作業で被着体に貼付する際に、被着体と粘着面との間に空気溜まりができ、粘着シートの外観を損ねてしまうことがある。このような空気溜まりは、特に粘着シートの面積が大きい場合に発生し易い。
【０００３】
空気溜まりによる粘着シート外観の不具合を解消するために、粘着シートを別の粘着シートに貼り替えることや、粘着シートを一度剥して貼り直すこと、あるいは粘着シートの膨れた部分に針で穴を開けて空気を抜いたりすることが行われている。しかしながら、粘着シートを貼り替える場合には、手間を要するだけでなく、コストアップを招いてしまい、また、粘着シートを貼り直す場合には、粘着シートが破れたり、表面に皺ができたり、粘着性が低下する等の問題が生じることが多い。一方、針で穴を開ける方法は粘着シートの外観を損ねるものである。
【０００４】
空気溜まりの発生を防止するために、あらかじめ被着体または粘着面に水をつけてから貼付する方法があるが、窓に貼るガラス飛散防止フィルム、装飾フィルム、マーキングフィルム等の寸法の大きい粘着シートを貼付する場合には、多くの時間と手間を要している。また。手作業ではなく機械を使用して貼付することにより、空気溜まりの発生を防止する方法があるが、粘着シートの用途または被着体の部位・形状によっては、機械貼りが適用できないことがある。
【０００５】
一方、アクリル樹脂、ＡＢＳ樹脂、ポリスチレン樹脂、ポリカーボネート樹脂等の樹脂材料は、加熱により、または加熱によらなくても、ガスを発生することがあるが、このような樹脂材料からなる被着体に粘着シートを貼付した場合には、被着体から発生するガスによって粘着シートにブリスター（ふくれ）が生じることとなる。
【０００６】
上記のような問題を解決するために、特許文献１および特許文献２には、粘着層の粘着面に、独立した多数の小凸部を散点状に配置した粘着シートが提案されている。この粘着シートにおいては、粘着層の小凸部の先端部が被着体に密着し、粘着層の基本平坦面が被着体から離間した状態に保持されることにより、粘着層の基本平坦面と被着体との間に外部に連通する隙間が生じるため、その隙間から空気やガスを外部に抜くことにより、粘着シートの空気溜まりまたはブリスターを防止する。
【特許文献１】実登２５０３７１７号公報
【特許文献２】実登２５８７１９８号公報
【発明の開示】
【発明が解決しようとする課題】
【０００７】
しかしながら、特許文献１および特許文献２に開示されている粘着シートにおいては、粘着層の小凸部の先端部のみが被着体に接着するため接着力が弱く、また、粘着層と被着体との間には水、薬品等が浸入し易く、それによってさらに接着力が低下するという問題があった。このような粘着シートを被着体に強く押圧した場合であっても、粘着層の小凸部の影響により接着力は十分でない。またその場合には、外部に連通する隙間が埋まるため、被着体からガスが発生したときに生じるブリスターを防止することはできない。
【０００８】
また、上記粘着シートにおいては、被着体に貼付した後に高温に曝されると、粘着層が流動して小凸部が消失してしまうため、高温暴露後に、残存空気溜まりまたは被着体凹部への追従不足が発見された場合や、ブリスターが発生した場合には、空気やガスを外部に抜くことができず、空気溜まりやブリスターを除去・防止することができなかった。
【０００９】
本発明は、このような実情に鑑みてなされたものであり、粘着シートの外観を損なうことなく、かつ十分な接着力を確保しつつ、空気溜まりやブリスターを防止または除去することができ、さらには被着体貼付後に高温に曝されてもエア抜け性に優れた粘着シートを提供することを目的とする。
【課題を解決するための手段】
【００１０】
上記目的を達成するために、第１に本発明は、基材と粘着剤層とを備え、一方の面から他方の面に貫通する貫通孔が複数形成されており、被着体貼付後に最高Ｔmax（ただし、８０℃≦Ｔmax≦１２０℃であるものとする。）の温度に曝される粘着シートであって、前記貫通孔の前記基材および粘着剤層における孔径は０.１〜３００μｍであり、孔密度は３０〜５０,０００個／１００ｃｍ２であり、前記貫通孔の前記粘着シートの表面における孔径は４０μｍ以下であり、前記貫通孔の孔径は、前記粘着シートの粘着面から前記粘着シートの表面にかけて漸次小さくなっており、前記粘着剤層のＴmaxにおける貯蔵弾性率（測定振動数：１Ｈｚ）は４．５×１０３Ｐａ以上であり、前記粘着剤層のＴmaxにおける損失正接（測定振動数：１Ｈｚ）は０．７８以下であることを特徴とする粘着シートを提供する（発明１）。
【００１１】
また、第２に本発明は、基材と粘着剤層とを備え、一方の面から他方の面に貫通する貫通孔が複数形成されており、被着体貼付後に８０〜１２０℃の温度に曝される粘着シートであって、前記貫通孔の前記基材および粘着剤層における孔径は０.１〜３００μｍであり、孔密度は３０〜５０,０００個／１００ｃｍ２であり、前記貫通孔の前記粘着シートの表面における孔径は４０μｍ以下であり、前記貫通孔の孔径は、前記粘着シートの粘着面から前記粘着シートの表面にかけて漸次小さくなっており、前記粘着剤層の１２０℃における貯蔵弾性率（測定振動数：１Ｈｚ）は４．５×１０３Ｐａ以上であり、前記粘着剤層の１２０℃における損失正接（測定振動数：１Ｈｚ）は０．７８以下であることを特徴とする粘着シートを提供する（発明２）。
【００１２】
なお、本明細書において、「シート」にはフィルムの概念、「フィルム」にはシートの概念が含まれるものとする。
【００１３】
上記発明に係る粘着シート（発明１，２）においては、被着体と粘着面との間の空気は貫通孔から粘着シート表面の外側に抜けるため、被着体に貼付する際に空気を巻き込み難く、空気溜まりができることを防止することができる。仮に空気を巻き込んで空気溜まりができたとしても、その空気溜まり部または空気溜まり部を含んだ空気溜まり部周辺部を再圧着することにより、空気が貫通孔から粘着シート表面の外側に抜けて、空気溜まりが消失する。また、被着体に貼付した後に被着体からガスが発生したとしても、ガスは貫通孔から粘着シート表面の外側に抜けるため、ブリスターが生じることを防止することができる。
【００１４】
なお、貫通孔の孔径は３００μｍ以下であるため、粘着シート表面で目立たず、粘着シートの外観を損なわない。また、貫通孔の孔密度は、５０,０００個／１００ｃｍ２以下であるため、粘着シートの機械的強度は維持される。
【００１５】
ここで、粘着剤層は通常比較的軟らかい材料から構成されるため、かかる粘着剤層に形成された貫通孔は、被着体に貼付された粘着シートが高温に曝されたときに、粘着剤の流動によって少なくともその深さ方向の一部が消失し易く、そのように粘着剤層の貫通孔が潰れてしまうと、その後に空気溜まりを除去すること、あるいはブリスターを防止または除去することができなくなる。しかしながら、上記発明に係る粘着シートにおいては、粘着剤層の貯蔵弾性率および損失正接を上記のように規定することにより、粘着シートが被着体貼付後に高温（例えば１２０℃）に曝されたときであっても、粘着剤層の貫通孔は潰れず、所定の孔径を維持することができる。
【００１６】
上記発明（発明１，２）において、前記貫通孔は、レーザ加工により形成されてなるのが好ましい（発明３）。レーザ加工によれば、エア抜け性の良い微細な貫通孔を所望の孔密度で容易に形成することができる。ただし、貫通孔の形成方法はこれに限定されるものではなく、例えば、ウォータージェット、マイクロドリル、精密プレス、熱針、溶孔等によって形成してもよい。
【発明の効果】
【００１７】
本発明の粘着シートによれば、外観を損なうことなく、かつ十分な接着力を確保しつつ、空気溜まりやブリスターを防止または除去することができる。また、本発明の粘着シートにおいては、被着体貼付後に高温に曝されてもエア抜け性に優れるため、高温暴露後に残存空気溜まりや被着体凹部への追従不足が発見された場合や、ブリスターが発生した場合であっても、かかる空気溜まりやブリスターを除去・防止することができる。
【発明を実施するための最良の形態】
【００１８】
以下、本発明の実施形態について説明する。
〔粘着シート〕
図１は、本発明の一実施形態に係る粘着シートの断面図である。
【００１９】
図１に示すように、本実施形態に係る粘着シート１は、基材１１と、粘着剤層１２と、剥離材１３とを積層してなるものである。ただし、剥離材１３は、粘着シート１の使用時に剥離されるものである。
【００２０】
この粘着シート１においては、基材１１および粘着剤層１２を貫通し、粘着シート表面１Ａから粘着面１Ｂに至る貫通孔２が複数形成されている。粘着シート１の使用時、被着体と粘着剤層１２の粘着面１Ｂとの間の空気や被着体から発生するガスは、この貫通孔２から粘着シート表面１Ａの外側に抜けるため、後述するように、空気溜まりやブリスターを防止または除去することができる。
【００２１】
貫通孔２の横断面形状は特に限定されるものではないが、貫通孔２の基材１１および粘着剤層１２における孔径は０.１〜３００μｍであり、好ましくは０.５〜１５０μｍである。貫通孔２の孔径が０.１μｍ未満であると、空気またはガスが抜け難く、貫通孔２の孔径が３００μｍを超えると、貫通孔２が目立つようになり、粘着シート１の外観を損なう。
【００２２】
ここで、貫通孔２の粘着シート表面１Ａにおける孔径が４０μｍ以下であると、貫通孔２の孔自体（貫通孔２の内部空間）が肉眼では見えなくなり得るため、特に粘着シート１の外観において貫通孔２の孔自体が見えないことが要求されるような場合には、貫通孔２の粘着シート表面１Ａにおける孔径の上限を４０μｍとするのが好ましい。この場合において、特に基材１１が透明である場合には、粘着シート表面１Ａだけでなく、基材１１内部および粘着剤層１２における孔径も孔可視性に影響を及ぼし得るため、貫通孔２の基材１１内部および粘着剤層１２における孔径の上限を６０μｍとするのが特に好ましい。
【００２３】
貫通孔２の孔径は、粘着シート１の厚さ方向に一定であってもよいし、粘着シート１の厚さ方向に変化していてもよいが、貫通孔２の孔径が粘着シート１の厚さ方向に変化する場合は、貫通孔２の孔径は粘着面１Ｂから粘着シート表面１Ａにかけて漸次小さくなるのが好ましい。このように貫通孔２の孔径が変化することにより、粘着シート表面１Ａにて貫通孔２がより目立ち難くなり、粘着シート１の外観を良好に保つことができる。ただし、この場合であっても、貫通孔２の基材１１および粘着剤層１２における孔径は上記範囲内（０.１〜３００μｍ）にあることが必要である。
【００２４】
貫通孔２の孔密度は、３０〜５０,０００個／１００ｃｍ２であり、好ましくは１００〜１０,０００個／１００ｃｍ２である。貫通孔２の孔密度が３０個／１００ｃｍ２未満であると、空気またはガスが抜け難く、貫通孔２の孔密度が５０,０００個／１００ｃｍ２を超えると、粘着シート１の機械的強度が低下する。
【００２５】
貫通孔２は、後述するレーザ加工により形成するのが好ましい。レーザ加工によれば、エア抜け性の良い微細な貫通孔を所望の孔密度で容易に形成することができる。ただし、貫通孔２の形成方法はこれに限定されるものではなく、例えば、ウォータージェット、マイクロドリル、精密プレス、熱針、溶孔等によって形成してもよい。
【００２６】
基材１１の材料としては、上記のような貫通孔２が形成され得る材料であれば特に限定されるものではなく、例えば、樹脂フィルム、金属フィルム、金属を蒸着させた樹脂フィルム、紙、それらの積層体等が挙げられる。それらの材料は、無機フィラー、有機フィラー、紫外線吸収剤等の各種添加剤を含んだものであってもよい。基材１１が樹脂フィルムからなる場合、基材１１は不透明であってもよいし、透明であってもよいが、一般的に基材１１が不透明の方が、貫通孔２が目立ち難い。
【００２７】
なお、上記材料の表面には、例えば、印刷、印字、塗料の塗布、転写シートからの転写、蒸着、スパッタリング等の方法による装飾層が形成されていてもよいし、かかる装飾層を形成するための易接着コート、あるいはグロス調整用コート等のアンダーコート層が形成されていてもよいし、ハードコート、汚染防止コート等のトップコート層が形成されていてもよい。また、それら装飾層、アンダーコート層またはトップコート層は、上記材料の全面に形成されていてもよいし、部分的に形成されていてもよい。
【００２８】
樹脂フィルムとしては、例えば、ポリエチレン、ポリプロピレン等のポリオレフィン、ポリエチレンテレフタレート、ポリブチレンテレフタレート等のポリエステル、ポリ塩化ビニル、ポリスチレン、ポリウレタン、ポリカーボネート、ポリアミド、ポリイミド、ポリメタクリル酸メチル、ポリブテン、ポリブタジエン、ポリメチルペンテン、エチレン酢酸ビニル共重合体、エチレン（メタ）アクリル酸共重合体、エチレン（メタ）アクリル酸エステル共重合体、ＡＢＳ樹脂、アイオノマー樹脂；ポリオレフィン、ポリウレタン、ポリスチレン、ポリ塩化ビニル、ポリエステル等の成分を含む熱可塑性エラストマーなどの樹脂からなるフィルム、発泡フィルム、またはそれらの積層フィルム等を使用することができる。樹脂フィルムは、市販のものを使用してもよいし、工程材料を用いてキャスティング法等で形成したものを使用してもよい。また、紙としては、例えば、上質紙、グラシン紙、コート紙、ラミネート紙等を使用することができる。
【００２９】
上記工程材料としては、所望の穴開け加工法により貫通孔２が形成され得る材料からなるものであれば特に限定されるものではなく、例えば、各種紙、またはポリエチレンテレフタレート、ポリプロピレン、ポリエチレン等の樹脂フィルムを、シリコーン系、ポリエステル系、アクリル系、アルキド系、ウレタン系等の剥離剤または合成樹脂で剥離処理したものを使用することができる。工程材料の厚さは、通常１０〜２００μｍ程度であり、好ましくは２５〜１５０μｍ程度である。
【００３０】
基材１１の厚さは、通常は１〜５００μｍ、好ましくは３〜３００μｍ程度であるが、粘着シート１の用途に応じて適宜変更することができる。
【００３１】
粘着シート１が被着体貼付後に最高Ｔmax（ただし、２０℃≦Ｔmax≦１３０℃であるものとする。）の温度に曝される場合、粘着剤層１２は、Ｔmaxにおける貯蔵弾性率が４．５×１０３Ｐａ以上、好ましくは５．０×１０３〜５．０×１０６Ｐａであり、かつ、Ｔmaxにおける損失正接が０．７８以下、好ましくは０．０１〜０．７５であることが必要である。粘着剤層１２がこれらの条件を満たすことによって、被着体に貼付された粘着シート１がＴmaxの温度に曝されたときであっても、貫通孔２は粘着剤の流動によって潰れることなく、上記孔径を維持することができる。すなわち、粘着シート１が被着体貼付後に高温下に置かれた場合であっても、貫通孔２の形状は安定しており、空気溜まりやブリスターの除去・防止が可能である。
【００３２】
なお、粘着シート１が被着体貼付後に曝され得る温度は、通常１２０℃程度が上限となることが多いため、上記貯蔵弾性率および損失正接は、固定的に１２０℃における値として規定することもできる。
【００３３】
粘着剤層１２を構成する粘着剤の種類としては、上記のような貯蔵弾性率および損失正接を有するものであれば特に限定されるものではなく、アクリル系、ポリエステル系、ポリウレタン系、ゴム系、シリコーン系等のいずれであってもよい。また、粘着剤はエマルション型、溶剤型または無溶剤型のいずれでもよく、架橋タイプまたは非架橋タイプのいずれであってもよい。
【００３４】
粘着剤層１２の厚さは、通常は１〜３００μｍ、好ましくは５〜１００μｍ程度であるが、粘着シート１の用途に応じて適宜変更することができる。
【００３５】
剥離材１３の材料としては、上記のような貫通孔２が形成され得る材料であれば特に限定されるものではなく、例えば、ポリエチレンテレフタレート、ポリプロピレン、ポリエチレン等の樹脂からなるフィルムまたはそれらの発泡フィルムや、グラシン紙、コート紙、ラミネート紙等の紙に、シリコーン系、フッ素系、長鎖アルキル基含有カルバメート等の剥離剤で剥離処理したものを使用することができる。
【００３６】
剥離材１３の厚さは、通常１０〜２５０μｍ程度であり、好ましくは２０〜２００μｍ程度である。また、剥離材１３における剥離剤の厚さは、通常０.０５〜５μｍであり、好ましくは０.１〜３μｍである。
【００３７】
なお、本実施形態に係る粘着シート１における貫通孔２は、基材１１および粘着剤層１２のみを貫通するものであるが、剥離材１３をも貫通していてもよい。
【００３８】
また、本実施形態に係る粘着シート１は剥離材１３を備えたものであるが、本発明はこれに限定されるものではなく、剥離材１３はなくてもよい。さらに、本実施形態に係る粘着シート１の大きさ、形状等は特に限定されるものではない。例えば、粘着シート１は、基材１１および粘着剤層１２のみからなるテープ状のもの(粘着テープ)であって、ロール状に巻き取られて巻取体となり得るものであってもよい。
【００３９】
〔粘着シートの製造〕
上記実施形態に係る粘着シート１の製造方法の一例を図２（ａ）〜（ｆ）を参照して説明する。
【００４０】
本製造方法においては、最初に図２（ａ）〜（ｂ）に示すように、剥離材１３の剥離処理面に、粘着剤層１２を形成する。粘着剤層１２を形成するには、粘着剤層１２を構成する粘着剤と、所望によりさらに溶媒とを含有する塗布剤を調製し、ロールコーター、ナイフコーター、ロールナイフコーター、エアナイフコーター、ダイコーター、バーコーター、グラビアコーター、カーテンコーター等の塗工機によって剥離材１３の剥離処理面に塗布して乾燥させればよい。
【００４１】
次に、図２（ｃ）に示すように、粘着剤層１２の表面に基材１１を圧着し、基材１１と粘着剤層１２と剥離材１３とからなる積層体とする。そして、図２（ｄ）に示すように、粘着剤層１２から剥離材１３を剥離した後、図２（ｅ）に示すように、基材１１と粘着剤層１２とからなる積層体に貫通孔２を形成し、図２（ｆ）に示すように、再度粘着剤層１２に剥離材１３を貼り付ける。
【００４２】
本製造方法では、貫通孔２の形成はレーザ加工によって行い、粘着剤層１２側から粘着剤層１２に対して直接レーザを照射する。このように粘着剤層１２側からレーザ加工を施すことにより、貫通孔２にテーパがついたとしても、貫通孔２の孔径は剥離材１３側よりも基材１１側の方が小さくなり、したがって、粘着シート１の表面にて貫通孔２が目立ち難くなり、粘着シート１の外観を良好に保つことができる。
【００４３】
また、剥離材１３を一旦剥離して、粘着剤層１２に対して直接レーザを照射することにより、粘着剤層１２の貫通孔２開口部が剥離材１３の溶融物、いわゆるドロスによって拡がることがなく、したがって、孔径や孔密度の精度が高く、粘着シート１に悪影響を及ぼすおそれのある水等が入り難い貫通孔２を形成することができる。さらに、粘着剤層１２に対するレーザ照射において、剥離材１３を介在させないことにより、レーザの照射時間を短縮すること、またはレーザの出力エネルギーを小さくすることができる。レーザの出力エネルギーが小さければ、粘着剤層１２および基材１１に対する熱影響が小さくなり、ドロス等の少ない、形の整った貫通孔２を形成することが可能となる。
【００４４】
レーザ加工に利用するレーザの種類は特に限定されるものではなく、例えば、炭酸ガス（ＣＯ２）レーザ、ＴＥＡ−ＣＯ２レーザ、ＹＡＧレーザ、ＵＶ−ＹＡＧレーザ、エキシマレーザ、半導体レーザ、ＹＶＯ４レーザ、ＹＬＦレーザ等を利用することができる。
【００４５】
本製造方法においては、レーザ加工を行う前、任意の段階で、基材１１の表面に剥離可能な保護シートを積層してもよい。このような保護シートとしては、例えば、基材と再剥離性粘着剤層とからなる公知の粘着保護シート等を使用することができる。
【００４６】
レーザ加工によって貫通孔２を形成する場合、貫通孔２の開口部周縁にはドロスが付着することがあるが、基材１１の表面に保護シートを積層することにより、ドロスが付着するのは基材１１ではなく保護シートとなり、したがって、粘着シート１の外観をより良好に保つことができる。
【００４７】
なお、上記製造方法では、粘着剤層１２を剥離材１３上に形成し、形成された粘着剤層１２と基材１１とを貼り合わせたが、本発明はこれに限定されるものではなく、粘着剤層１２を基材１１上に直接形成してもよい。また、剥離材１３を積層した状態でレーザ加工を施してもよいし、基材１１または上記保護シート側からレーザを照射してもよい。
【００４８】
〔粘着シートの使用〕
粘着シート１を被着体に貼付する際には、剥離材１３を粘着剤層１２から剥離し、露出した粘着剤層１２の粘着面１Ｂを被着体に密着させるようにして、粘着シート１を被着体に押圧する。このとき、被着体と粘着剤層１２の粘着面１Ｂとの間の空気は、粘着シート１に形成された貫通孔２から粘着シート表面１Ａの外側に抜けるため、被着体と粘着面１Ｂとの間に空気が巻き込まれ難く、空気溜まりができることが防止される。仮に空気が巻き込まれて空気溜まりができたとしても、その空気溜まり部または空気溜まり部を含んだ空気溜まり部周辺部を再圧着することにより、空気が貫通孔２から粘着シート表面１Ａの外側に抜けて、空気溜まりが消失する。このような空気溜まりの除去は、粘着シート１の貼付から長時間経過した後でも可能である。
【００４９】
また、粘着シート１を被着体に貼付した後に、被着体からガスが発生したとしても、そのガスは粘着シート１に形成された貫通孔２から粘着シート表面１Ａの外側に抜けるため、粘着シート１にブリスターが生じることが防止される。
【００５０】
粘着シート１においては、以上のようにして空気溜まりやブリスターを防止または除去することができるが、粘着シート１に形成されている貫通孔２は非常に微細であるため、粘着シートの外観が損なわれることはなく、また、貫通孔２が存在しても接着力が低下するおそれがない。
【００５１】
さらに、粘着シート１においては、被着体貼付後に高温に曝されてもエア抜け性に優れるため、高温暴露後に残存空気溜まりや被着体凹部への追従不足が発見された場合や、ブリスターが発生した場合であっても、かかる空気溜まりやブリスターを除去・防止することができる。
【実施例】
【００５２】
以下、実施例等により本発明をさらに具体的に説明するが、本発明の範囲はこれらの実施例等に限定されるものではない。
【００５３】
〔実施例１〕
上質紙の両面をポリエチレン樹脂でラミネートし、片面にシリコーン系剥離剤を塗布した剥離材（リンテック社製，ＦＰＭ−１１，厚さ：１７５μｍ）の剥離処理面に、アクリル系溶剤型粘着剤（リンテック社製，ＭＦ）の塗布剤を乾燥後の厚さが３０μｍになるようにナイフコーターによって塗布し、９０℃で１分間乾燥させた。このようにして形成した粘着剤層に、ポリ塩化ビニル樹脂からなる黒色不透明の基材（厚さ：１００μｍ）を圧着し、３層構造の積層体を得た。
【００５４】
上記積層体から剥離材を剥し、粘着剤層側から積層体に対してＣＯ２レーザを照射して、基材表面における孔径が約５０μｍ、粘着面における孔径が約９０μｍの貫通孔を２,５００個／１００ｃｍ２の孔密度で形成した。そして、再度粘着剤層に剥離材を圧着し、これを粘着シートとした。
【００５５】
得られた粘着シートにおける粘着剤層の貯蔵弾性率および損失正接を、粘弾性測定装置（Ｒｈｅｏｍｅｔｒｉｃｓ社製，装置名：ＤＹＮＡＭＩＣ ＡＮＡＬＹＺＥＲ ＲＤＡ II）を用いて１Ｈｚで２３℃、８０℃、１００℃および１２０℃の値を測定した。結果を表１に示す。
【００５６】
〔実施例２〕
ＣＯ２レーザの替わりにＵＶ−ＹＡＧレーザを照射し、貫通孔の基材表面における孔径を約３０μｍ、粘着面における孔径を約４５μｍとする以外、実施例１と同様にして粘着シートを作製した。そして、得られた粘着シートにおける粘着剤層の貯蔵弾性率および損失正接を、実施例１と同様にして測定した。結果を表１に示す。
【００５７】
〔実施例３〕
粘着剤としてアクリル系溶剤型粘着剤（リンテック社製，ＰＫ）を使用し、貫通孔の基材表面における孔径を約３０μｍ、粘着面における孔径を約８０μｍとする以外、実施例１と同様にして粘着シートを作製した。そして、得られた粘着シートにおける粘着剤層の貯蔵弾性率および損失正接を、実施例１と同様にして測定した。結果を表１に示す。
【００５８】
〔実施例４〕
粘着剤としてアクリル系溶剤型粘着剤（リンテック社製，ＰＬ−２）を使用し、貫通孔の基材表面における孔径を約４０μｍ、粘着面における孔径を約８５μｍとする以外、実施例１と同様にして粘着シートを作製した。そして、得られた粘着シートにおける粘着剤層の貯蔵弾性率および損失正接を、実施例１と同様にして測定した。結果を表１に示す。
【００５９】
〔実施例５〕
粘着剤としてゴム系溶剤型粘着剤（リンテック社製，ＰＶ−２）を使用し、貫通孔の基材表面における孔径を約３０μｍ、粘着面における孔径を約８０μｍとする以外、実施例１と同様にして粘着シートを作製した。そして、得られた粘着シートにおける粘着剤層の貯蔵弾性率および損失正接を、実施例１と同様にして測定した。結果を表１に示す。
【００６０】
〔実施例６〕
粘着剤としてアクリル系エマルション型粘着剤（リンテック社製，ＭＨＬ）を使用し、基材として無機フィラーを含有したポリプロピレン樹脂からなる白色不透明の基材（王子油化社製，ユポＳＧＳ８０，厚さ：８０μｍ）を使用し、貫通孔の基材表面における孔径を約３０μｍ、粘着面における孔径を約８０μｍとする以外、実施例１と同様にして粘着シートを作製した。そして、得られた粘着シートにおける粘着剤層の貯蔵弾性率および損失正接を、実施例１と同様にして測定した。結果を表１に示す。
【００６１】
〔実施例７〕
粘着剤としてアクリル系エマルション型粘着剤（リンテック社製，ＫＶ−１２）を使用し、貫通孔の基材表面における孔径を約４０μｍ、粘着面における孔径を約９０μｍとする以外、実施例６と同様にして粘着シートを作製した。そして、得られた粘着シートにおける粘着剤層の貯蔵弾性率および損失正接を、実施例１と同様にして測定した。結果を表１に示す。
【００６２】
〔実施例８〕
粘着剤としてアクリル系エマルション型粘着剤（リンテック社製，ＰＣ）を使用し、貫通孔の基材表面における孔径を約７０μｍ、粘着面における孔径を約１００μｍとする以外、実施例６と同様にして粘着シートを作製した。そして、得られた粘着シートにおける粘着剤層の貯蔵弾性率および損失正接を、実施例１と同様にして測定した。結果を表１に示す。
【００６３】
〔参考例１〕
粘着剤としてゴム系溶剤型粘着剤（リンテック社製，ＰＴ−３）を使用し、貫通孔の基材表面における孔径を約４０μｍ、粘着面における孔径を約８０μｍとする以外、実施例１と同様にして粘着シートを作製した。そして、得られた粘着シートにおける粘着剤層の貯蔵弾性率および損失正接を、実施例１と同様にして測定した。結果を表１に示す。
【００６４】
〔比較例１〕
上質紙（秤量１１０ｇ／ｍ２）の両面を、ラミネート層の厚さが２５μｍとなるように低密度ポリエチレン樹脂でラミネートし、その片面にシリコーン系剥離剤を塗布した。次に、剥離処理面に対し金属製のエンボスロールを８０℃で圧着して当該剥離処理面に凹部を形成し、これを剥離材とした。
【００６５】
得られた剥離材および実施例３で使用した粘着剤を用いた以外、実施例１と同様にして３層構造の積層体（基材＋粘着剤層＋剥離材）を作製し、これを粘着シートとした。この粘着シートから剥離材を剥したときの粘着面には、一辺の長さが１５０μｍ、高さが１０μｍの平面視略正方形の凸部が縦横５０μｍ間隔で形成された。
【００６６】
得られた粘着シートにおける粘着剤層の貯蔵弾性率および損失正接を、実施例１と同様にして測定した。結果を表１に示す。
【００６７】
〔比較例２〕
貫通孔を形成しない以外、実施例３と同様にして粘着シートを作製した。そして、得られた粘着シートにおける粘着剤層の貯蔵弾性率および損失正接を、実施例１と同様にして測定した。結果を表１に示す。
【００６８】
〔試験例〕
実施例、参考例および比較例で得られた粘着シートについて、以下のようにして空気溜まり消失性試験を行った。その結果を表１に示す。
【００６９】
空気溜まり消失性試験：５０ｍｍ×５０ｍｍに裁断し剥離材を剥離した粘着シートを、直径１５ｍｍ、最大深さ１ｍｍの部分球面形の窪みを有するメラミン塗装板に貼付し（窪みと粘着シートとの間には空気溜りが存在する）、貼付から３０分経過後に、２３℃、８０℃、１００℃および１２０℃の各温度下で２４時間放置した。次いで、室温（２３℃，湿度５０％）で１時間保持した後、粘着シートをスキージにより圧着し、空気溜まりが除去できるか否かを確認した。その結果、粘着シートがメラミン塗装板の凹部に追従して空気溜まりが除去されたものを○、粘着シートがメラミン塗装板の凹部に追従せずに空気溜まりが除去されなかったもの（空気溜まりが小さくても残存したものを含む）を×で表す。
【００７０】
【表１】
0004748941.tif 000002
【００７１】
表１から分かるように、暴露最高温度（Ｔmax）を１２０℃に設定した場合には、粘着剤層の１２０℃における貯蔵弾性率が４．５×１０３Ｐａ以上であり、損失正接が０．７８以下である実施例１〜８の粘着シートにおいて、空気溜まりが容易に除去された。ただし、暴露最高温度（Ｔmax）を１００℃以下に設定した場合には、粘着剤層の１００℃以下における貯蔵弾性率４．５×１０３Ｐａ以上であり、損失正接が０．７８以下である参考例１の粘着シートにおいても、上記と同様の結果となる。
【００７２】
なお、貫通孔の基材表面における孔径が４０μｍ以下の粘着シートについては、貫通孔の孔自体の存在が肉眼では確認できなかった。
【産業上の利用可能性】
【００７３】
本発明の粘着シートは、一般的に粘着シートに空気溜まりやブリスターが生じやすい場合、例えば粘着シートの面積が大きい場合や、被着体からガスが発生する場合等であって、特に被着体貼付後に高温に曝される場合に好ましく用いることができる。
【図面の簡単な説明】
【００７４】
【図１】本発明の一実施形態に係る粘着シートの断面図である。
【図２】本発明の一実施形態に係る粘着シートの製造方法の一例を示す断面図である。
【符号の説明】
【００７５】
１…粘着シート
１１…基材
１２…粘着剤層
１３…剥離材
１Ａ…粘着シート表面
１Ｂ…粘着面
２…貫通孔
【図１】
0004748941.tif 000003
【図２】
0004748941.tif 000004